(57)【要約】【課題】コンテンツの評価情報の送受信を即時に行うことで、評価情報を迅速に把握できるようにする。【解決手段】評価情報受信部２５は、コンテンツ視聴再生録画装置１７と接続し、ネットワーク１８から受信したコンテンツの評価情報を受け付ける。評価情報入力部２８は、ユーザーから入力されたコンテンツの評価情報を受け付ける。評価情報集計部２６は、コンテンツ毎に評価情報を集計する。評価情報表示部２７は、評価情報集計部２６で集計された評価情報を読み出し、コンテンツの評価情報を表示する。評価情報送信部２９は、ユーザーから入力されたコンテンツの評価情報をコンテンツ視聴再生録画装置１７に送信する。コンテンツ視聴再生録画装置操作部３０は、コンテンツ視聴再生録画装置１７に対してコンテンツの録画や再生などの指示が可能である。【選択図】図２
2009278425.tif 000002
【特許請求の範囲】
【請求項１】
コンテンツの評価情報を入力する入力手段と、該入力した評価情報を外部に送信する送信手段と、外部に蓄積されている前記評価情報を受信する受信手段と、該受信した評価情報を表示する表示手段とを有するコンテンツ評価入力表示装置であって、
コンテンツの評価に関する選択可能な選択枝を予め用意し、該用意した選択肢を表示する手段と、該表示した選択肢の選択を受け付ける手段とを有し、
前記入力手段は、前記選択肢の選択を前記評価情報の入力とすることを特徴とするコンテンツ評価入力表示装置。
【請求項２】
前記表示手段は、前記受信手段により受信したコメントによる評価情報を表示することを特徴とする請求項１に記載のコンテンツ評価入力表示装置。
【請求項３】
前記表示手段に表示したコメントによる評価情報の選択を受け付ける手段を有し、
前記入力手段は、前記コメントによる評価情報の選択を前記評価情報の入力とすることを特徴とする請求項２に記載のコンテンツ評価入力表示装置。
【請求項４】
前記受信手段は、集計された前記評価情報をネットワークを通じて受信し、前記表示手段は、受信した評価情報に基づく人気コンテンツ情報を表示することを特徴とする請求項１〜３のいずれか１に記載のコンテンツ評価入力表示装置。
【請求項５】
前記表示手段は、前記コンテンツ評価入力表示装置が接続もしくは内蔵されたコンテンツ再生録画装置で視聴されているコンテンツとは異なるコンテンツの評価情報を、リアルタイムに表示することを特徴とする請求項１〜４のいずれか１に記載のコンテンツ評価入力表示装置。
【請求項６】
前記評価情報に基づくコンテンツの評価が所定の条件を満足していることを報知する手段を有することを特徴とする請求項１〜５のいずれか１に記載のコンテンツ評価入力表示装置。
【請求項７】
前記評価情報に基づくコンテンツの評価が所定の条件を満足しているときに、前記コンテンツ評価入力表示装置が接続もしくは内蔵されているコンテンツ再生録画装置に対して、該所定の条件を満足しているコンテンツの録画または再生を指示することを特徴とする請求項１〜６のいずれか１に記載のコンテンツ評価入力表示装置。
【請求項８】
請求項１〜７のいずれか１に記載のコンテンツ評価入力表示装置の各手段の機能をコンピュータに実現させるプログラム。
【請求項９】
請求項８に記載のプログラムをコンピュータ読み取り可能に記録した記録媒体。
【発明の詳細な説明】
【技術分野】
【０００１】
本発明は、コンテンツ評価入力表示装置、プログラムおよびこれを記録した記録媒体に関し、より詳細には、ユーザーに対して人気や反響があるコンテンツ情報をリアルタイムに案内するシステムに用いるコンテンツ評価入力表示装置と、そのコンテンツ評価入力表示装置の実現に用いられるプログラムおよびそのプログラムを記録した記録媒体に関する。
【背景技術】
【０００２】
例えば、テレビ放送、ラジオ放送、ＣＳ放送、ＢＳ放送、ケーブルテレビ、インターネット放送、動画投稿サイトなどの様々な媒体で、様々なコンテンツが流れている。コンテンツを見ようとするユーザーは、これら様々な媒体から流れてくる膨大なコンテンツの中から自分が見たいコンテンツを事前に把握して視聴するのは困難である。
【０００３】
また、人気や話題性があるコンテンツは後から判明することが多く、放送等のコンテンツ提供の時点で、ユーザーがこのようなコンテンツを把握することも困難である。特に放送では、ユーザーが前もってコンテンツを把握しておかなければ、視聴および録画することもできないため、ユーザーは、人気や話題性が後から判明するコンテンツを見逃してしまうことになる。
また、コンテンツについて、どのような感想や意見が存在するのかをユーザーが把握するには、インターネット上の日記などをキーワード検索するという手間がかかり、またこの場合に、検索した文章から人気を測定しなければいけないため、コンテンツの人気や話題性を定量的に集計するのは困難であった。
【０００４】
このようなコンテンツを視聴するための技術に関し、例えば特許文献１では、録画されたコンテンツの内容や見所をユーザーが容易に把握できるようにすることを目的とした記録再生装置が開示されている。ここでは、録画再生装置は、外部の視聴率データＤＢから録画番組の視聴率データを取得し、最高視聴率更にはピークとなった時刻を抽出する。そして、録画ファイル記憶部にアクセスし、抽出した時刻情報の映像データを抽出してサムネイル画像データを作成し、録画番組情報記憶部のタイトル情報と関連付けて記憶させている。これにより、タイトル情報とともにサムネイル画像が表示できるようになっている。
【０００５】
また、特許文献２には、多チャンネル放送において視聴率による新たな番組選択の基準を視聴者に提供し、単純な操作で短時間に多くの人が視聴しているチャンネルを選択できるようにすることを目的とした装置およびシステムが開示されている。ここでは、放送番組の受信装置は、受信した信号から番組信号と視聴率データとを分離し、視聴率データの昇順あるいは降順にチャンネルを並べて記憶することで、利用者によるチャンネルの選択が可能となるようにしている。
【０００６】
また、特許文献３には、ユーザーが時系列の区間に分割できるコンテンツのダイジェスト版である部分コンテンツの取得を望んだ時点で、そのユーザーにとって重要であると考えられる区間を含む部分コンテンツを作成する部分コンテンツ作成方法が開示されている。この方法は、ユーザーにとって重要な区間に関連付けられているコメントについての情報に基づいてコンテンツの各区間を評価し、評価が所定の条件を満たす区間を選択し、選択された区間を時系列の順に順序付けることにより、部分コンテンツを作成する。
【０００７】
また、特許文献４には、あらかじめグループとして登録した複数のコンテンツ再生装置の間で、視聴者が入力した情報を相互に交換できる機能を備えることにより、視聴者が、多くの視聴者に支持されている人気コンテンツを選択し、視聴、または録画予約できるようにすることを目的とした技術が開示されている。ここでは、コンテンツ再生装置は、視聴者が情報を入力する情報入力部と、異なるコンテンツ再生装置の識別子を保持するグループ管理部と、異なるコンテンツ再生装置との通信を行う通信部と、グループとして登録された複数のコンテンツ再生装置から視聴者の入力情報を取得する通信制御部と、自身および異なるコンテンツ再生装置からの入力情報を保持する情報保持部と、入力情報に基いて、利用者にコンテンツの選択を支援するための情報を提示する情報提示部とを備えている。
【０００８】
さらに、特許文献５には、インターネット上でやり取りされ、また話題になっている情報を、ユーザーが番組を選択して視聴する際の目安として活用し、あるいは各番組毎に関連したメッセージの参照情報の一覧を提示して、他のユーザーの特定番組に対する反応を容易に閲覧することを可能とする放送番組関心度の提示技術が開示されている。ここでは、 放送番組関心度提示サーバは、メッセージを保管したメッセージ保管手段と、番組毎のメッセージ数を記録した番組関心度データベースと、メッセージ保管手段中のメッセージを調べて番組毎のメッセージ数をカウントし、番組関心度データベースにメッセージ数を記録するメッセージカウント手段とを有し、サーバ中に番組に関連したメッセージがそれぞれ幾つ存在するかをユーザーへ提供できるようにしている。
【特許文献１】特開２００４−３２６９７１号公報
【特許文献２】特開平０９−２６１６０９号公報
【特許文献３】特開２００４−３６４１８３号公報
【特許文献４】特開２００４−１７３２５２号公報
【特許文献５】特開２００２−２７９０２６号公報
【発明の開示】
【発明が解決しようとする課題】
【０００９】
特許文献１、２に記載された発明は、視聴率を利用した見所を抽出するものである。この場合、人気があるコンテンツや、大勢に見られたコンテンツをユーザーが知ることができるのは、視聴率やブログなどの感想などの指標が放送された事後になってからである。コンテンツの放送や視聴可能期間が終わった後には、ユーザーは、そのコンテンツをあらかじめ録画や保存していないために見ることができないという問題がある。また、視聴率は大勢に見られた番組という意味を持つが、どのような理由で視聴率が高いのかをユーザーが把握することができない。
【００１０】
特許文献３の発明では、コメントを利用した見所を抽出している。しかしながら、コメントを入力する行為自体が手間であるため、積極的にコメントを入力するユーザーは限られる。コメントを入力すれば、さまざまな感想が見られるが、コメントを入力の際に文字入力をする時間が必要となる。これにより放送から数十秒程度のタイムラグが発生し、コメントが多い場合には、人気のあるコンテンツが検知された頃には、見所の瞬間から時間が経過してしまう。また、反響が多い瞬間からコンテンツを視聴もしくは録画することができない。
【００１１】
特許文献４の発明では、あらかじめ登録した同一装置を使用するグループにおいて、コンテンツの重要度を算出し、見所を抽出している。特許文献４の場合も、特許文献３と同様、文字入力する手間が存在する。この手間を軽減し、リアルタイムに報知して見所を逃さなくする具体的な装置および方法については何ら開示されていない。
【００１２】
さらに特許文献５の発明では、ユーザーの感想情報を数値化している。しかしながら、ネットワークに散らばるコンテンツの人気を定量的に集計する手法については、既に公知の技術にて実現することができる。
【００１３】
本発明は、上述のごとき実情に鑑みて鋭意研究の結果なされたもので、コンテンツの評価情報の送受信を即時に行うことで、評価情報を迅速に把握できるようにしたコンテンツ評価入力表示装置、プログラムおよびこれを記録した記録媒体を提供することを目的とするものである。
【課題を解決するための手段】
【００１４】
上記課題を解決するために、第１の技術手段は、コンテンツの評価情報を入力する入力手段と、入力した評価情報を外部に送信する送信手段と、外部に蓄積されている評価情報を受信する受信手段と、受信した評価情報を表示する表示手段とを有するコンテンツ評価入力表示装置であって、コンテンツの評価に関する選択可能な選択枝を予め用意し、用意した選択肢を表示する手段と、表示した選択肢の選択を受け付ける手段とを有し、入力手段は、選択肢の選択を評価情報の入力とすることを特徴としたものである。
【００１５】
第２の技術手段は、第１の技術手段において、表示手段は、受信手段により受信したコメントによる評価情報を表示することを特徴としたものである。
【００１６】
第３の技術手段は、第２の技術手段において、表示手段に表示したコメントによる評価情報の選択を受け付ける手段を有し、入力手段は、コメントによる評価情報の選択を評価情報の入力とすることを特徴としたものである。
【００１７】
第４の技術手段は、第１〜３のいずれかの技術手段において、受信手段は、集計された評価情報をネットワークを通じて受信し、表示手段は、受信した評価情報に基づく人気コンテンツ情報を表示することを特徴としたものである。
【００１８】
第５の技術手段は、第１〜４のいずれかの技術手段において、表示手段は、コンテンツ評価入力表示装置が接続もしくは内蔵されたコンテンツ再生録画装置で視聴されているコンテンツとは異なるコンテンツの評価情報を、リアルタイムに表示することを特徴としたものである。
【００１９】
第６の技術手段は、第１〜５のいずれかの技術手段において、評価情報に基づくコンテンツの評価が所定の条件を満足していることを報知する手段を有することを特徴としたものである。
【００２０】
第７の技術手段は、第１〜６のいずれかの技術手段において、評価情報に基づくコンテンツの評価が所定の条件を満足しているときに、コンテンツ評価入力表示装置が接続もしくは内蔵されているコンテンツ再生録画装置に対して、所定の条件を満足しているコンテンツの録画または再生を指示することを特徴としたものである。
【００２１】
第８の技術手段は、第１〜７のいずれかの技術手段であるコンテンツ評価入力表示装置の各手段の機能をコンピュータに実現させるプログラムである。
【００２２】
第９の技術手段は、第８の技術手段であるプログラムをコンピュータ読み取り可能に記録した記録媒体である。
【発明の効果】
【００２３】
本発明によれば、コンテンツの評価情報の送受信を即時に行うことで、評価情報を迅速に把握できるようにしたコンテンツ評価入力表示装置、プログラムおよびこれを記録した記録媒体を提供することができる。
【発明を実施するための最良の形態】
【００２４】
本発明の実施形態に係るコンテンツ評価入力表示装置は、コンテンツが放送されている瞬間にその評価情報が入力されることにより、他のユーザーがその評価情報を即時に把握できるようにすることで、コンテンツの見所を逃さないようにしたものである。すなわち、コンテンツ評価入力表示装置は、人気コンテンツを即時に把握できるようにした装置である。この目的を達成するために、ユーザーが視聴したコンテンツの評価情報を受信する手段と、コンテンツごとに評価情報（例えば、「良い」，「楽しい」，等を選択した人数情報、コメント文章）を入力する手段と、評価情報を集計することでコンテンツの話題指数を算出する手段と、コンテンツの評価情報が上昇したときにユーザーに報知する手段とを備える。本発明の特徴は、以下本発明を実施するための最良の形態および添付図面によって明らかになるものである。
【００２５】
以下に、添付図面を参照して、本発明の実施形態についてさらに詳細に説明する。なお、本発明は、以下の実施形態に限定されるものではなく、本発明の本質的な範囲を逸脱しない限り、構成の変形・追加・代用が可能であることはもちろんである。
【００２６】
図１は、本発明によるコンテンツ評価入力表示装置の接続形態の一例を示すブロック図である。コンテンツ評価入力表示装置１０は、主にコンテンツ視聴再生録画装置１７における評価情報の入出力に適している。コンテンツ視聴再生録画装置１７の例としては、例えば、ＤＶＤレコーダー、テレビ、パソコン、および携帯電話等を想定することができる。
また、本実施形態のコンテンツ評価入力表示装置１０のすべてまたはその一部は、コンテンツ視聴再生録画装置１７に接続されるか、コンテンツ視聴再生録画装置１７に内蔵される。
【００２７】
コンテンツ視聴再生録画装置１７は個々のユーザーに使用されるもので、異なるユーザーによって使用される複数のコンテンツ視聴再生録画装置１７がネットワーク１８に接続可能である。
コンテンツ視聴再生録画装置１７は、放送局１１から放送された放送波を受信することで、映像や音声などの放送型コンテンツを取得することができる。
また、コンテンツ視聴再生録画装置１７は、インターネット等のネットワーク１８による通信経路を介してコンテンツ提供者１２に接続可能である。ここではコンテンツ提供者１２は、コンテンツをネットワーク１８上に提供できるシステムや装置を意味している。コンテンツ視聴再生録画装置１７は、コンテンツ提供者１２から映像や音声などの配信型コンテンツを取得することができる。
【００２８】
また、ネットワーク１８には、評価情報サーバ１３が接続される。評価情報サーバ１３は、コンテンツの定型的な評価情報を蓄積している。コンテンツ視聴再生録画装置１７に接続するコンテンツ評価入力表示装置１０は、この評価情報サーバ１３を使用して、コンテンツの定型的な評価情報を登録、収集する。
また、視聴再生録画装置１７に接続するコンテンツ評価入力表示装置１０は、非定型的な情報を収集するため、検索エンジン１４、掲示板・チャット１５、ブログや個人のホームページの日記１６などから、インターネット等のネットワーク１８を通じて、評価情報を収集することもできる。これら検索エンジン１４、掲示板・チャット１５、ブログや個人のホームページの日記１６は、所定のソフトウェアサービスやコンテンツを提供するためのシステムや装置を意味している。
【００２９】
ここではコンテンツ評価入力表示装置１０は、検索エンジン１４からは、検索結果情報を取得することができ、掲示板・チャット１５からは、コンテンツに関する掲示板あるいはチャットの書き込みの感想情報などを取得することができる。また、ブログや個人ホームページの日記１６からは、コンテンツに関する日記あるいはブログの書き込みの感想情報等を取得することができる。
【００３０】
図２は、コンテンツ評価入力表示装置の構成例を示すブロック図である。コンテンツ評価入力表示装置１０は、評価情報受信部２５と、評価情報集計部２６と、評価情報入力部２８と、評価情報表示部２７と、評価情報送信部２９とを有して構成される。
評価情報受信部２５は、コンテンツ視聴再生録画装置１７と接続し、ネットワーク１８から受信したコンテンツの評価情報を受け付ける。また、評価情報受信部２５は、１つ以上の異なるコンテンツ視聴再生録画装置１７の個別識別情報を保持する。
【００３１】
評価情報入力部２８は、ユーザーから入力されたコンテンツの評価情報を受け付ける。
評価情報集計部２６は、評価情報受信部２５からのコンテンツの評価情報を受けて、コンテンツ毎に評価情報を集計する。また、評価情報入力部２８で入力されたユーザーの評価情報も集計する。
評価情報表示部２７は、評価情報集計部２６で集計された評価情報を読み出し、コンテンツの評価情報を液晶パネルや有機ＥＬパネル等に表示する。
【００３２】
評価情報送信部２９は、ユーザーから入力されたコンテンツの評価情報を、評価情報入力部２８から受け付け、評価情報サーバ１３に送信するためにコンテンツ視聴再生録画装置１７に送信する。またここでは、評価情報送信部２９は、コンテンツの評価情報を直接ネットワーク１８に送信してもよい。
また、コンテンツ視聴再生録画装置操作部３０は、コンテンツ視聴再生録画装置１７の操作を行うもので、例えば、コンテンツ視聴再生録画装置１７に対するコンテンツの録画や再生などの指示を選択可能である。
【００３３】
図３は、本発明によるコンテンツ評価入力表示装置の外観構成例を示す図である。
コンテンツ評価入力表示装置１０は、液晶パネルや有機ＥＬパネル等から成る表示部３３と、表示部３３の下方に設けられた複数の操作キーからなる操作部の十字キー３２、文字キー３４、コンテンツ視聴再生録画装置操作部３０、および評価情報入力部２８と、ペン型入力装置３７とを備えている。また、コンテンツ評価入力表示装置１０の上部には、外部機器との通信を行うための外部機器接続部３１が設けられている。
【００３４】
十字キー３２は、十字状に配された押下領域３２Ｕ、３２Ｒ、３２Ｄ、３２Ｌ、３２Ｃを含んでいる。このうち、押下領域３２Ｕ、３２Ｒ、３２Ｄ、３２Ｌをユーザーが押下すると、表示部３３に表示されるフォーカス（カーソル）がそれぞれ上、右、下、左に移動する。そして、メニュー項目の選択や所望の画面位置への入力等を行うことができる。また、中央の押下領域３２Ｃをユーザーが押下すると、カーソルによって選択された項目の決定を指示することができる。
文字キー３４は、チャンネル番号の選択や文字を入力する場合に用いられる。また、ボタンが光るといった動作により、評価が急上昇したコンテンツを報知する機能を持たせることもできる。
【００３５】
コンテンツ視聴再生録画装置操作部３０は、図２にて説明したように、コンテンツ視聴再生録画装置１７の所定の操作可能とするもので、例えば、コンテンツ視聴再生録画装置１７におけるコンテンツの録画や再生などを指示する操作入力が可能である。
【００３６】
評価情報入力部２８は、コンテンツ評価入力表示装置１０に予め組み込まれた評価情報の選択肢を選択するための入力部である。ユーザーは、これらの選択枝を表す入力部を選択して操作することで、コンテンツの評価情報を短時間に入力することができる。
例えば図３の例では、評価情報入力部２８で選択可能な選択肢を表すボタンとして、「良い」、「悪い（良くない）」、「喜」、「怒」、「哀」、「楽」のボタンが設定されている。ここでは、これらの選択肢をボタンとして組み込まなくてもよく、液晶パネルや有機ＥＬパネル等からなる表示部３３と同様の表示部を設け、リアルタイムに変化する評価項目の選択肢を表示させてユーザーに選択させるようにしてもよい。また選択可能な選択肢の種類は、上記の例の限定されることなく適宜設定することができる。
【００３７】
ペン型入力装置３７は、表示部３３に表示された項目を選択したり、文字を入力したりするために用いる。また、評価情報入力部２８に表示部を設けた場合にも、選択肢を選ぶときにペン型入力装置３７を使うことができる。
また、電源キー３８は、コンテンツ評価入力表示装置１０の電源をオン・オフする際に用いられる。
【００３８】
図４は、図３の表示部３３に表示する詳細情報の一例を示す図である。
コンテンツ評価入力表示装置１０の表示部３３には、視聴コンテンツ評価情報の表示・投票エリア４０が設定され、現在視聴・再生しているコンテンツの評価情報が表示される。本例では、評価情報集計部２６で算出された表示情報の指数と、評価情報入力部２８に入力されたユーザーによる評価情報とを加味して集計した評価情報の件数および割合が表示されている。この画面から評価情報を選択して入力できるようにしてもよい。
【００３９】
さらに表示部３３には、視聴していないコンテンツ（非視聴コンテンツ）評価情報の表示・投票エリア３９が設定され、ユーザーが視聴・再生していないコンテンツの評価情報が表示される。本例では、現在視聴している番組の裏番組に関する評価情報を、評価情報集計部２６で算出された指数により示している。非視聴コンテンツの評価情報の表示・投票エリア３９は、裏番組の評価指数が上昇した場合に、点滅するなどしてユーザーに報知するようにしてもよい。ユーザーが裏番組を視聴・録画したい場合には、この画面から視聴や録画を選択することができる。また、ユーザーが選択しなくても、一定の評価指数になったら録画を自動で開始することにより、ユーザーがそのコンテンツを見逃すことがないようにしてもよい。さらに、動画サイトの評価指数や１週間での評価上位のコンテンツランキングを表示できるようにしてもよい。
【００４０】
さらに表示部３３には、コメント表示・投票エリア４１が設定され、ユーザーおよび他のユーザーが入力したコメントが表示される。本例では、ユーザーが共感するコメントについて投票できるようにしている。ここではさまざまなコメントを表示するために、文字をスクロールして表示してもよい。
【００４１】
さらに表示部３３には、文字編集エリア４２が設定される。文字編集エリア４２は、文字キー３４もしくはペン型入力装置３７にて文字を入力することができるエディタ機能を持つエリアである。文字編集エリア４２で入力されたコメントは、コメント表示・投票エリア４１の表示に反映される。
【００４２】
図５および図６は、コンテンツ評価入力表示装置の内部データのフォーマットの例を示す図である。
図５は、選択肢から選ばれた評価情報のデータフォーマットを示している。評価情報の選択肢としては、例えば図３で説明した「良い」、「悪い（良くない）」、「喜」、「怒」、「哀」、「楽」が設定される。そして、コンテンツ毎に、これらの評価情報の選択肢の投票件数が集計されている。このデータ形式は、複数のコンテンツ評価入力表示装置１０から得られたデータを格納している評価情報サーバ１３で保持される。また、評価情報サーバ１３から得た評価情報をコンテンツ評価入力表示装置１０で保持する際にも用いられる。
【００４３】
図６は、コント形式の評価情報のデータフォーマットを示している。ここでは、コンテンツ毎に、かつ各コンテンツの時間毎に、評価情報として各評価コメントの投票件数が集計されている。このデータ形式は、複数のコンテンツ評価入力表示装置１０から得られたデータを格納している評価情報サーバ１３で保持される。また、評価情報サーバ１３から得た評価情報をコンテンツ評価入力表示装置１０で保持する際にも用いられる。
【００４４】
図７は、複数のコンテンツ評価入力表示装置から得られた評価情報データを格納する評価情報サーバのデータ保持形態の一例を示す図である。評価情報サーバ１３が保持している評価情報のデータは、選択式の定型フォーマットとコメント形式とに分かれる。
定型フォーマットは、複数のコンテンツ評価入力表示装置１０において共通であり、例えば、図５に示すように１コンテンツ毎に１レコードとなって評価データベース５１に格納される。一方、コメント形式の文字データは、図６に示すように、１コメント毎にレコードが必要となり、コメントデータベース５０に格納される。
【００４５】
図８は、コンテンツ評価入力表示装置のデータ保持形態の一例を示す図である。図７に示す評価情報サーバ１３と同様に、コンテンツ評価入力表示装置１０では、評価情報サーバ１３から取得した評価情報を格納する評価データベース５３、およびコメントデータベース５４が保持される。
また、図５や図６の形式に当てはめられない、ＷＥＢ上の非定型的な評価情報を収集し、これも評価情報に加えることもできる。例えば、検索エンジン１４、掲示板・チャット１５、ブログや個人のホームページの日記１６などからインターネット等のネットワーク１８を通じて、非定型な評価情報を収集して一時的に格納する。この場合、これらネットワークから収集した評価情報は、評価情報データベース５２に格納される。
【００４６】
評価情報データベース５２に格納したデータは、評価情報集計部２６を通じて集計される。文章を定量化する手法は、例えば特許文献５などの公知技術により実施することができる。これにより評価情報を図５もしくは図６のような定型フォーマットのデータに変換させ、評価データベース５３、コメントデータベース５４に格納する。
【００４７】
上記のような構成により、コンテンツの評価情報をコンテンツ視聴再生録画装置１７からコンテンツ評価入力表示装置１０に入力し、およびコンテンツ評価入力表示装置１０からコンテンツ視聴再生録画装置１７に出力すれば、ユーザーは、コンテンツ評価情報の把握および入力を行うことができる。また、コンテンツ評価入力表示装置１０は、コンテンツの視聴・再生を実行できるものであってもよい。例えば、コンテンツ評価入力表示装置１０がコンテンツ視聴再生録画装置１７に内蔵された構成であってもよい。
【００４８】
次に、本発明のコンテンツ評価入力表示装置１０による評価情報の入出力の手順について、図９〜１３を参照しながら説明を行なう。
図９及び図１０は、コンテンツ評価入力表示装置が評価情報を受信する処理の一例を説明するためのフローチャートである。
コンテンツ評価入力表示装置１０が、評価情報サーバ１３から評価情報を受信する場合、まず、ステップＳ１では、コンテンツ評価入力表示装置１０は、評価情報サーバ１３から評価情報を取得する任意の周期を設定し、その周期で評価情報の取得を繰り返す。例えば、１分毎に評価情報を取得するようにあらかじめ設定しておく。この取得間隔を短くすれば、より最新の評価情報を取得することができる。もしくは、評価情報サーバ１３が周期的にコンテンツ評価入力表示装置１０へ評価情報を送信するようにしてもよい。
【００４９】
次にステップＳ２では、評価情報を得たい所望のコンテンツを設定する。そして設定されたコンテンツ分だけ評価情報の取得を繰り返す。例えば、ユーザーが現在視聴しているコンテンツがテレビ放送なら、ユーザーは、現在視聴中の番組の裏番組の評価情報を参照したいと考える。この場合、現在放送中のテレビ放送のチャンネルすべての評価情報を取得するまで評価情報の取得を繰り返す。例えば、２００７年９月９日の２０時にＴＶ５ｃｈを視聴している場合、その裏番組のコンテンツの評価情報を取得する。
【００５０】
ステップＳ３では、あらかじめ設定されたコンテンツ分の評価情報の取得が終了したか判定し、終了したならば次の取得タイミングの周期まで待機する。また、終了していない場合、ステップＳ４に進む。
ステップＳ４では、取得した評価情報が現在視聴再生中のコンテンツの評価情報かどうかを判定する。ここで、取得した評価情報が、ユーザーが現在視聴再生中のコンテンツの評価情報であればステップＳ５に進み、視聴・再生中のコンテンツの評価情報取得処理を行う。
【００５１】
ステップＳ５では、コンテンツ評価入力表示装置１０は、評価情報サーバ１３のコメントデータベース５０および評価データベース５１から、現在ユーザーが視聴再生中のコンテンツの評価情報を取得する。そしてステップＳ６では、評価情報サーバ１３から取得した評価情報を、評価情報入力表示装置１０のデータベース（評価データベース５３，コメントデータベース５４）に格納する。ここでは、コンテンツ評価入力表示装置１０の評価データベース５３を、評価情報サーバ１３の評価データベース５１から取得した評価情報で更新し、コンテンツ評価入力表示装置１０のコメントデータベース５４を、評価情報サーバ１３のコメントデータベース５０から取得したコメント情報で更新する。
【００５２】
ステップＳ７では、ステップＳ６で更新されたコメントデータベース５４から、ユーザーが視聴再生するコンテンツのコメント情報を取得する。そして、ステップＳ８では、評価情報の表示部３３のコメント表示・投票エリア４１に、視聴再生中コンテンツのコメント情報を表示する。
次に、ステップＳ９では、ステップＳ６で更新された評価データベース５３から、ユーザーが視聴再生するコンテンツの評価情報を取得する。そして、ステップＳ１０では、ステップＳ９で読み出した図５の評価情報フォーマットの評価情報を元に、現在の話題指数を算出する。ここでは話題指数の計算手法は特に問うものではないが、例えば、直近1分間のコメント件数を算出する手法や、“「良い」に投票した件数÷そのコンテンツに投票した全件数”の式により、「良い」の割合が多いコンテンツを高得点にする計算手法を適用することができる。
【００５３】
ステップＳ１１では、評価情報の表示部３３の視聴コンテンツ評価情報の表示・投票エリア４０に、ステップＳ９で読み出した視聴・再生中コンテンツの評価情報と、ステップＳ１０で算出した話題指数とを表示する。
【００５４】
上記のステップＳ４で、取得した評価情報が現在視聴再生中のコンテンツの評価情報ではない場合には、ステップＳ１２に進む。ステップＳ１２では、評価情報サーバ１３のコメントデータベース５０および評価データベース５１から、コンテンツの評価情報（つまり非視聴中のコンテンツの評価情報）を取得する。
そしてステップＳ１３では、評価情報サーバ１３から取得した評価情報を、評価情報入力表示装置１０のデータベース（評価データベース５３，コメントデータベース５４）に格納する。ここでは、コンテンツ評価入力表示装置１０の評価データベース５３を、評価情報サーバ１３の評価データベース５１から取得した評価情報で更新し、コンテンツ評価入力表示装置１０のコメントデータベース５４を、評価情報サーバ１３のコメントデータベース５０から取得したコメント情報で更新する。
【００５５】
ステップＳ１４では、ステップＳ１３で更新された評価データベース５３から、評価情報を取得する。そして、ステップＳ１５では、ステップＳ１０と同様の処理で話題指数を算出する。さらに、ステップＳ１６では、評価情報の表示部３３の非視聴コンテンツ評価情報の表示・投票エリア３９に、ステップＳ１４で読み出した非視聴コンテンツの評価情報と、ステップＳ１５で算出した話題指数とを表示する。
【００５６】
ステップＳ１７では、ステップＳ１０またはステップＳ１５で算出した話題指数と、前回算出した話題指数とを比較し、評価が上昇したかどうかを判定する。この場合、特定のコンテンツの初回の評価情報受信時には、前回の話題指数が無いのでステップＳ２０に進む。また、２回目以降の評価情報受信時は、前回の話題指数と比較することができる。このときの比較する手法は問わないが、例えば、“現在話題指数 ＞ 前回話題指数”による算出手法を適用することができる。
【００５７】
ステップＳ１７で前回と今回の話題指数を比較した結果、現在の話題指数の方が大きく、評価が上昇したと判定した場合には、ステップＳ１８に進む。ステップＳ１８では、コンテンツ評価入力表示装置１０に報知するか否かを決定するために、評価が急上昇したかどうかを判定する。このときの判定処理の手法は問わないが、例えば、ステップＳ１７でＹｅｓ（評価が上昇した）と判定される回数が３回連続したならば、そのコンテンツの評価が急上昇したものと判定する手法や、今回の話題指数が前回の話題指数の倍以上になったことを表す“現在話題指数 ＞＝ 前回話題指数×２”といった手法を適用することができる。ここで評価が急上昇したと判定されたならば、ステップＳ１９に進む。
【００５８】
ステップＳ１９では、評価が急上昇したコンテンツをコンテンツ評価入力表示装置１０によりユーザーに報知する。例えば、５チャンネルのコンテンツの評価が急上昇した場合に、表示部３３に評価が急上昇した旨を表示させたり、文字キー３４のうち“５”が印字されているキーを点滅させたりすることにより、評価が急上昇したコンテンツの報知を行うことができる。また、評価が急上昇した場合に、コンテンツ視聴再生録画装置１７へ自動的に録画指示や再生指示を出すなどして、コンテンツの見所を見逃すことがないようにしてもよい。つまりここでは、評価情報に基づくコンテンツの評価が、上記のような所定の条件を満足するときにその旨をユーザーに報知する手段と、所定の条件を満足するときにコンテンツ再生録画装置に対して、そのコンテンツの録画または再生を指示する手段とが備えられる。報知を行うための構成や、所定の条件は上記に限定されることなく適宜定めることができる。
【００５９】
ステップＳ１７で、評価が上昇しなかった場合、およびステップＳ１８で評価が急上昇しなかったと判定された場合には、ステップＳ２０に進む。ステップＳ２０では、次の話題指数の比較のために、現在の話題指数を前回話題指数として保持し、1つのコンテンツの評価情報の受信フローが終了する。
【００６０】
図１１は、コンテンツ評価入力表示装置から評価項目を選択し、評価情報を送信する処理の一例を説明するためのフローチャートである。
ステップＳ２１では、ユーザーは所望のコンテンツを視聴・再生中である。そして、ステップＳ２２では、ユーザーが視聴・再生中のコンテンツの評価情報を入力したいと思ったときに、評価情報入力部２８からユーザーの感想と一致する評価項目、例えば「良い」を選択する。
【００６１】
ステップＳ２３では、評価情報入力表示装置の評価情報入力部２８から評価情報集計部２６へ選択された評価項目の評価情報を送信する。これにより、評価データベース５３における同一コンテンツの同一評価項目の件数を増やす。そして、ステップＳ２４では、評価情報は、評価情報集計部２６から評価情報表示部２７に送信され、表示部３３に表示される。
ステップＳ２５では、評価情報は、評価情報入力表示装置１０の評価情報送信部２９からネットワーク１８を通して評価情報サーバ１３に送信される。そしてユーザーが選択した評価項目の評価情報が評価情報サーバ１３の評価データベース５１に格納される。
【００６２】
図１２は、コンテンツ評価入力表示装置からコメントを選択し、評価情報を送信する動作の流れの一例を示すフローチャートである。
ステップＳ３１では、ユーザーは所望のコンテンツを視聴・再生中である。そして、ステップＳ３２では、ユーザーが視聴・再生中のコンテンツの評価をコメントで投票したいと思ったときに、評価情報入力表示装置１０のコメント表示・投票エリア４１から、ユーザーが共感するコメントがあれば、それを選択する。例えば、ユーザーは、「ものすごくおもしろい」というコメントに共感した場合に投票を選択する。
【００６３】
ステップ３３では、評価情報入力部２８から評価情報集計部２６へコメントによる評価情報を送信する。ここでは、コメントデータベース５４の同一コンテンツの同一コメントの件数を増やす。そしてステップ３４では、表示部３３にコメントによる評価情報を表示する。
次にステップ３５では、評価情報は、評価情報入力表示装置１０の評価情報送信部２９から、ネットワーク１８を通して評価情報サーバ１３に送信され、ユーザーが選択したコメントによる評価情報が評価情報サーバ１３のコメントデータベース５０に格納される。
【００６４】
図１３は、コンテンツ評価入力表示装置からコメントを文字入力し、評価情報を送信する動作の流れの一例を示すフローチャートである。
ステップ４１では、ユーザーは所望のコンテンツを視聴・再生中である。そして、ステップＳ４２では、ユーザーが視聴・再生中のコンテンツの評価をコメントで投票したいと思ったときに、コメント表示・投票エリア４１にユーザーが共感するコメントがなければ、ユーザーがコメントを文字で入力をする。文字入力に際しては、文字キー３４やペン型入力装置３７を使用し、評価情報入力装置の文字編集エリア４２にコメント文を入力する。
【００６５】
次に、ステップＳ４３では、評価情報入力表示装置１０の評価情報入力部２８から評価情報集計部２６へコメント文による評価情報を送信する。そして、評価情報入力表示装置１０のコメントデータベース５４に視聴コンテンツについてのコメント文を格納する。
ステップＳ４４では、表示部３３にコメント文を表示する。そして、ステップＳ４５では、コメント文による評価情報は、評価情報入力表示装置１０の評価情報送信部２９からネットワークを通して評価情報サーバに送信され、ユーザーが入力したコメントが評価情報サーバ１３のコメントデータベース５０に格納される。
【００６６】
以上に説明したように、本発明によるコンテンツ評価入力表示装置の実施形態においては、ユーザーがコンテンツを視聴・再生しているときには、リアルタイムにコンテンツの評価情報を入手することができ、人気のあるコンテンツが分かるため、他のコンテンツを見逃さないようにすることができる。また、ユーザーがコンテンツを視聴・再生していないときにも、コンテンツ評価入力表示装置が人気があると判定した場合、ユーザーに報知したり、自動的に録画したりすることで、人気があるコンテンツをユーザーが見逃さないようにすることができる。
【００６７】
本発明のコンテンツ評価入力表示装置で動作するプログラムは、本発明に係る各手段（あるいは各手段の一部）の機能を実現するようにＣＰＵ等を制御するプログラム（コンピュータを機能させるプログラム）である。このプログラムは、装置をユーザーが使用する際に容易となるように、表示装置用のグラフィカルユーザインタフェース（ＧＵＩ）を備えるようにするとよい。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【００６８】
また、ロードしたプログラムを実行することにより、上述した本発明の実施形態の機能が実現されるだけでなく、そのプログラムの指示に基づき、オペレーティングシステムあるいは他のアプリケーションプログラム等と協働して処理することにより、本発明の実施形態の機能が実現される場合もある。
【００６９】
記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７０】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の記録媒体に含まれる。
【産業上の利用可能性】
【００７１】
本発明は、コンテンツを視聴・録画・再生できるコンテンツ視聴再生録画装置等の評価情報入出力に利用可能である。
【図面の簡単な説明】
【００７２】
【図１】本発明によるコンテンツ評価入力装置の接続形態の一例を示すブロック図である。
【図２】コンテンツ評価入力表示装置の構成例を示すブロック図である。
【図３】本発明によるコンテンツ評価入力表示装置の外観構成例を示す図である。
【図４】図３の表示部３３に表示する詳細情報の一例を示す図である。
【図５】コンテンツ評価入力表示装置の内部データのフォーマットの例を示す図である。
【図６】コンテンツ評価入力表示装置の内部データのフォーマットの例を示す図である。
【図７】複数のコンテンツ評価入力表示装置から得られた評価情報データを格納する評価情報サーバのデータ保持形態の一例を示す図である。
【図８】コンテンツ評価入力表示装置のデータ保持形態の一例を示す図である。
【図９】コンテンツ評価入力表示装置が評価情報を受信する処理の一例を説明するためのフローチャートである。
【図１０】コンテンツ評価入力表示装置が評価情報を受信する処理の一例を説明するためのフローチャートで、図９に続く図である。
【図１１】コンテンツ評価入力表示装置から評価項目を選択し、評価情報を送信する処理の一例を説明するためのフローチャートである。
【図１２】コンテンツ評価入力表示装置からコメントを選択し、評価情報を送信する動作の流れの一例を示すフローチャートである。
【図１３】コンテンツ評価入力表示装置からコメントを文字入力し、評価情報を送信する動作の流れの一例を示すフローチャートである。
【符号の説明】
【００７３】
８…コンテンツ視聴再生録画装置、１０…コンテンツ評価入力表示装置、１１…放送局、１２…コンテンツ提供者、１３…評価情報サーバ、１４…検索エンジン、１５…掲示板・チャット、１６…日記、１７…コンテンツ視聴再生録画装置、１８…ネットワーク、２５…評価情報受信部、２６…評価情報集計部、２７…評価情報表示部、２８…評価情報入力部、２９…評価情報送信部、３０…コンテンツ視聴再生録画装置操作部、３１…外部機器接続部、３２…十字キー、３２Ｃ…押下領域、３２Ｕ…押下領域、３３…表示部、３４…文字キー、３７…ペン型入力装置、３８…電源キー、３９…表示・投票エリア、４０…表示・投票エリア、４１…コメント表示・投票エリア、４２…文字編集エリア、５０…コメントデータベース、５１…評価データベース、５２…評価情報データベース、５３…評価データベース、５４…コメントデータベース。
【図１】
2009278425.tif 000003
【図２】
2009278425.tif 000004
【図３】
2009278425.tif 000005
【図４】
2009278425.tif 000006
【図５】
2009278425.tif 000007
【図６】
2009278425.tif 000008
【図７】
2009278425.tif 000009
【図８】
2009278425.tif 000010
【図９】
2009278425.tif 000011
【図１０】
2009278425.tif 000012
【図１１】
2009278425.tif 000013
【図１２】
2009278425.tif 000014
【図１３】
2009278425.tif 000015